(57)【要約】 【課題】作業途中、いつでも自由に中断して仮置きし、すぐに使い始められる形状を保持し、使っていない時や作業場所に向かって持ち運ぶ途中にのみ、薄く小さく折り畳める線材を使用したジョウロを提供する。【解決手段】弾性のある線材を使用し、ジョウロの骨組みを形成し、骨組みの形状は、線材の反発力により立ちあがり、形成される形状であればどんな形状でも構わず、骨組みの外側から装着するジョウロカバーは、一組の取っ手を設け、防水加工された布や素材を使用し、ジョウロカバーの上面中央は上面開口部として孔が開いていて、ノズルを形成し、付属で折り畳んだジョウロを保持するためのバンドやジョウロケースを設けたことを特徴とする折り畳みジョウロ。【選択図】図３
2014036599.tif 000002
【特許請求の範囲】
【請求項１】
弾性のある線材で骨組みを形成し、外側からノズル付きの袋状カバーを装着したことを特徴とした折り畳みジョウロ。
【請求項２】
線材で二つの円を形成しジョウロの底面と上面とし、直線の線材を複数本設けて、底面と上面を上下でつなぐように接続し、ノズル芯を設けた骨組みから成る請求項１記載の折り畳みジョウロ。
【請求項３】
ジョウロカバーは、防水性を備えた素材を用いて、袋状に形成し取っ手を設け、上面中央は上面開口部として孔が開き、ノズルを形成した請求項１及び請求項２記載の折り畳みジョウロ。
【請求項４】
ノズルの先端を斜めの切り口または、細かい穴を開けたシャワー口としたことを特徴とする請求項１乃至、請求項３記載の折り畳みジョウロ。
【請求項５】
二つの円を交差させて、円周と直径が交わる二点で二つの円を接続した形状の骨組みから成る請求項１記載の折り畳みジョウロ。
【発明の詳細な説明】
【技術分野】
【０００１】
本発明は、線材を使用した折り畳みジョウロに関するものである。          
【背景技術】
【０００２】
従来のジョウロは、金属やプラスチックで形成されているものが多く知られている（特許文献１参照）。また、折り畳めるジョウロとして素材を変えたもの（特許文献２参照）も知られている。
【先行技術文献】
【特許文献】
【０００３】
【特許文献１】特許公開平１０−１３６８０７号  公報
【特許文献２】実用新案公開平５−４３８４６号  公報
【発明の概要】
【発明が解決しようとする課題】
【０００４】
従来のジョウロは形状の違いはあっても一様に、使用後の収納や持ち運びにおいて、かさ張るという点で不便であった。参考文献２の「おりたたみのできるジョウロ」は、柔軟な素材で形成することによって自由に変形し、ノズルを折り畳み容器側面にフック留めできるとするものだが、容器本体の両側面上部に「取っ手穴」が設けられ片手で取っ手穴を持つ場合、本体の形状がくずれ変形し水入れ容器に必要な形が継続して保持されず、また散水作業時にもノズルに手を添え支持しなければならず、それ程の「柔軟性」はジョウロ本来の散水用器としては不向きで実用的ではないと言える。
【０００５】
ジョウロは作業途中、中に水がたくさん入っているか、空かに関わらず、いつでも自由に中断して手近に仮置きし、又すぐに使い始められる形状を確固として保持していることが望ましく、作業に使っていない時や作業場所に向かって持ち運ぶ途中にのみ、薄く小さく折り畳めるのがより望ましい。
本発明は、以上の問題点を解決するためのものである。
【課題を解決するための手段】
【０００６】
錆びにくく弾性のある素材、例えば金属素材のワイヤーなどの線材を使用し、ジョウロの骨組みを形成する。同じ大きさの二つの円を形成し上下平行するように置き、ジョウロの底面と上面にする。また、直線の線材を複数本設け、底面と上面を上下でつなぐように接続する。複数の線材の中の１本に、底面の少し上から外側上方へ向けて接続したノズル芯を設ける。線材の接続は半田付けでも溶接でも、金属素材の固定具を用いてもいい。また、骨組みの形状は１パターンだけでなく線材の反発力により立ちあがり形成される形状であれば、どんな形状でも構わない。
【０００７】
骨組みの外側から装着するジョウロカバーは、底面を円とした円筒状袋に形成し、円筒側面上方には、対で一組の取っ手を設ける。ジョウロカバーは防水加工やビニール加工、ラミネート加工など水漏れしないよう加工された布や素材を使用する。
ジョウロカバーの上面中央は上面開口部として孔が開いている。ジョウロカバーからジョウロの骨組みが出し入れし易いよう、上面開口部の周縁に伸縮性のあるゴム素材が内側に装着されていて、上面は縁から中央へ向かって窄まるようギャザーがよっている。ノズル部分は底面から外側上方へ向けて細い円錐状に形成する。ノズルの先端は斜めの切り口でも、先端に細かい穴を開けたシャワー口としてもよい。付属で折り畳んだジョウロを保持するためのバンドやジョウロケースを設ける。
【発明の効果】
【０００８】
（イ）本発明により、ジョウロを使っていない時や持ち運ぶ際に薄く小さく折り畳み、かさ張らずに収納でき、軽量で携帯できる。
（ロ）使用中、ジョウロの形状が保持され、片手で持つことができる。
（ハ）線材の反発力により、瞬時にジョウロが立ち上がり形成されるため、誰でも簡単に使用できる。
（ニ）ジョウロカバーは骨組みから取り外しできるため、汚れたらいつでも外して洗うことができ衛生的である。
【図面の簡単な説明】
【０００９】
【図１】本発明の骨組みの第１の形態を示す構造図
【図２】本発明の骨組みの第１の形態を折り畳む状態を説明する構造図
【図３】本発明の第１の形態を示す斜視図
【図４】本発明の骨組みの第２の形態を示す構造図
【図５】本発明の第２の形態を示す斜視図
【発明を実施するための形態】
【００１０】
以下、本発明の実施の形態を説明する。
錆びにくく弾性のある素材、例えば金属素材のワイヤーなどの線材を使用し、ジョウロの骨組みを形成する。
【００１１】
図１及び図２に示す本発明を実施するための最良の第１の形態において、線材を用い同じ大きさの二つの円を形成し上下平行するように置き、ジョウロの底面（１）と上面（２）にする。このジョウロの底面（１）と上面（２）は、必ずしも同じ大きさでなくても成り立つ。また、直線の線材（３）を複数本、ここでは２本設け、底面（１）と上面（２）を上下でつなぐように接続する。直線の線材（３）はジョウロの高さとなり、ジョウロの立ち上がりの速さと強度のため、長さは円周の半分以下が望ましいが、必ずしもその長さでなくても成り立つ。
【００１２】
複数の直線の線材（３）の中の１本に、底面（１）の少し上から外側上方へ向けて接続したノズル芯（４）を設ける。ノズル芯（４）の長さは、ジョウロを折り畳む際に収納し易いよう、ジョウロの高さの半分程度が望ましい。この時の直線の線材（３）と底面（１）と上面（２）との接続は半田付けでも溶接でも、金属素材などの固定具（図示せず）を用いてもいい。
【００１３】
また、図３に示すように、骨組みの外側から装着するジョウロカバー（５）は、底面（１）を円とした円筒状袋に形成し、円筒側面上方には、対で一組の取っ手（６）を設ける。ジョウロカバー（５）は防水加工やビニール加工、ラミネート加工など水漏れしないよう加工された折り畳みが容易な布や素材を使用する。
【００１４】
ジョウロカバー（５）の上面中央は、ジョウロの骨組みが出し入れし易いよう、上面開口部（７）として孔が開いている。上面開口部（７）の周縁に伸縮性のある素材、例えばゴム素材が内側に装着されていて、上面（２）は縁から上面開口部（７）へ向かって窄まるようギャザーがよっている。ノズル部分（８）は底面（１）から外側上方へ向けて細い円錐状に形成する。ノズル（８）の先端は斜めの切り口でも、先端に細かい穴を開けたシャワー口としてもよい。
【００１５】
その他、付属で折り畳んだジョウロを保持するためのバンド（図示せず）やジョウロケース（図示せず）を設ける。
本発明は以上のような構造である。
【００１６】
本発明を使用するときは、付属のバンドやジョウロケース（図示せず）から折り畳まれたジョウロを取り出しバンドを外し、手を離すと骨組みの線材の反発力により立ちあがり、ジョウロが形成される。
【００１７】
水やりの際は、ジョウロの上面開口部（７）より水を入れ、取っ手（６）を持ち、ジョウロを傾けてノズル部分（８）から対象物に水をかける。
【００１８】
使用後ジョウロを折り畳む際は、ジョウロの上面（２）を上から掌全体で持ち、図２に示すように左右どちらかに回転させながら下方の底面（１）へ、ｃ方向からの圧力をかけて押し畳み、付属のバンド（図示せず）で固定し、ジョウロケース（図示せず）に収納する。この時の収納はバンドかジョウロケース、どちらか一方の使用でも両方でも構わない。
【００１９】
ジョウロカバー（５）から骨組みを取り出す際は、ジョウロの上面開口部（７）周縁を手で広げて、中の骨組みを取り出す。
【００２０】
ジョウロの骨組みにジョウロカバー（５）を装着する際は、ジョウロカバー（５）の上面開口部（７）周縁を手で広げて、中に骨組みを入れ、ノズル芯（４）をノズル部分（８）に嵌め込む。
【００２１】
図３に示す例では、ジョウロカバー（５）の上面開口部（７）周縁に伸縮性のある素材を内側に装着するとしているが、必ずしも必要ではなく、伸縮性のある素材を装着しなくても、上面開口部（７）がジョウロの骨組みを出し入れできる大きさがあれば成し得る。この場合、上面開口部（７）からの骨組みの出し入れは、骨組みを変形させて上面開口部（７）より出し入れすることが望ましい。
【００２２】
また、ジョウロカバー（５）を円筒状袋として一例にあげたが、袋状であれば円筒状でなくても成り立つ。その場合、骨組みも袋の形状に合わせて形成することが望ましい。ノズル部分（８）も円錐状として一例にあげたが、細い筒状としても構わない。
【００２３】
次に本発明の主要部である骨組みが異なる第２の形態について説明する。図４及び図５に示すように、同じ大きさの二つの円を線材（９，１０）で形成して交差させ、円周と直径が交わるa,bの二点で二つの円を接続した形状の骨組みとなる。この場合、骨組みにノズル芯（４）は設けず、ジョウロカバー（５）の素材でノズル部分（８）を自立させるように形成し、ノズル（８）の長さは短くすることが望ましい。
【００２４】
この本発明を実施するための第２の形態において、前記本発明を実施するための最良の第１の形態と主に異なる点は骨組みの形状の違いで、このように形成した骨組みの形状であっても、線材（９，１０）の反発力により立ちあがり、ジョウロが形成される形状であれば、前記本発明を実施するための最良の第１の形態と同様な作用効果が得られる。
【００２５】
更に、第２の形態では、直線の線材（３）が不要となるので安価に製造することが期待できる。
【符号の説明】
【００２６】
１底面  
２上面
３直線の線材  
４ノズル芯
５ジョウロカバー  
６取っ手
７上面開口部  
８ノズル  
９，１０線材
【図１】
2014036599.tif 000003
【図２】
2014036599.tif 000004
【図３】
2014036599.tif 000005
【図４】
2014036599.tif 000006
【図５】
2014036599.tif 000007